(57)【要約】【課題】服装のコーディネートなど商品の組み合わせの適合に関する情報を的確に提供して、商品の販売の拡大を図ることを可能にする。【解決手段】携帯機器１０は、接触通信部２９により、商品に装着されている、人体と接触している接触通信タグ１２，１４から、人体を通じた接触通信によって商品を識別するＩＤを受信すると、このＩＤに対応する商品が個人情報（例えばフィットサイズデータ２２ｆ）に適合しているか判別する。携帯機器１０は、商品が適合していないと判別した場合には、商品と適合する他の商品をＩＤ・商品情報テーブル２２ｂ及びコーディネートデータ２２ｃを参照して取得し、この商品に関する情報を取得する。【選択図】　　図２
2004003058.tif 000002
【特許請求の範囲】
【請求項１】
人体と接触している機器から商品を識別する識別情報を受信する受信手段と、
個人情報を記憶する個人情報記憶手段と、
前記受信手段によって受信した識別情報に対応する商品が、前記個人情報記憶手段によって記憶された個人情報に適合するか判別する判別手段と、
前記判別手段による判別結果に応じた情報を出力する出力手段と
を具備したことを特徴とする電子機器。
【請求項２】
前記受信手段は、商品に装着された前記機器から人体を通じた接触通信によって前記識別情報を受信する接触通信受信手段であることを特徴とする請求項１記載の電子機器。
【請求項３】
前記判別手段によって商品が前記個人情報に適合しないと判別された場合に、前記受信手段によって受信した識別情報に対応する商品と同等の、前記個人情報に適合する他の商品に関する情報を出力する第１の商品情報出力手段を具備したことを特徴とする請求項１記載の電子機器。
【請求項４】
前記受信手段によって受信される識別情報に対応する商品と適合する他の商品を判別する商品判別手段と、
前記商品判別手段によって判別された商品に関する情報を出力する第２の商品情報出力手段とを具備したことを特徴とする請求項１記載の電子機器。
【請求項５】
前記商品が着用品であって、前記個人情報には着用品のサイズに関する情報を含み、
前記判別手段は、前記受信手段によって受信した識別情報に対応する商品のサイズと、前記個人情報に含まれるサイズに関する情報とをもとに、商品が適合するか判別する手段を有することを特徴とする請求項１記載の電子機器。
【請求項６】
前記個人情報には商品を特定する情報を含み、
前記商品判別手段は、前記個人情報に含まれる商品を特定する情報に該当する商品のうち、前記識別情報に対応する商品と適合する他の商品を判別する手段を有することを特徴とする請求項４記載の電子機器。
【請求項７】
適合する商品の組み合わせを表す、商品の特徴的な要素の組み合わせのデータが登録されたテーブルを具備し、
前記商品判別手段は、前記識別情報に対応する商品の要素を検知し、前記テーブルに登録された、検知した要素と組み合わされた要素を持つ商品のうち、前記識別情報に対応する商品と適合する他の商品を判別する手段を有することを特徴とする請求項４記載の電子機器。
【請求項８】
ネットワークを通じて情報を受信する受信手段と、
前記商品判別手段によって他の商品を判別する際に参照される、商品の適合に関する情報を前記受信手段によって外部から取得する情報取得手段と
を具備したことを特徴とする請求項６記載の電子機器。
【請求項９】
ユーザが装着している機器から商品を識別する識別情報を受信する受信手段と、
前記受信手段によって受信された識別情報が示す商品のうちから、ユーザが着用している商品を検出する商品検出手段と、
前記商品検出手段によって検出された商品と適合する商品を判別する商品判別手段と、
前記商品判別手段によって判別された商品に関する情報を出力する商品情報出力手段と
を具備したことを特徴とする電子機器。
【請求項１０】
前記商品検出手段は、ユーザを撮影して得られる画像をもとに着用している商品を検出する手段を有し、
前記商品情報出力手段は、前記商品検出手段によって撮影して得られる画像に、前記商品判別手段によって判別された商品の画像を合成して出力する手段を有することを特徴とする請求項９記載の電子機器。
【請求項１１】
コンピュータを、
人体と接触している機器から商品を識別する識別情報を受信する受信手段と、
個人情報を記憶する個人情報記憶手段と、
前記受信手段によって受信した識別情報に対応する商品が、前記個人情報記憶手段によって記憶された個人情報に適合するか判別する判別手段と、
前記判別手段による判別結果に応じた情報を出力する出力手段とに機能させるための適合管理処理プログラム。
【請求項１２】
コンピュータを、
ユーザが装着している機器から商品を識別する識別情報を受信する受信手段と、
前記受信手段によって受信された識別情報が示す商品のうちから、ユーザが着用している商品を検出する商品検出手段と、
前記商品検出手段によって検出された商品と適合する商品を判別する商品判別手段と、
前記商品判別手段によって判別された商品に関する情報を出力する商品情報出力手段とに機能させるための適合管理処理プログラム。
【発明の詳細な説明】
【０００１】
【発明の属する技術分野】
本発明は、服装のコーディネートなど商品の組み合わせの適合を管理する電子機器、適合管理処理プログラムに関する。
【０００２】
【従来の技術】
通常、服装のコーディネートは、その種の専門書や雑誌等を参考にして個人の好みにより決定するだけに限らず、専門の知識を有する人、例えば服の販売店における販売員からアドバイスを受けて決定することが多い。販売員からアドバイスを受けることで、服に関する種類、デザイン、色、模様、サイズなどの他、天候や季節などを考慮した、個人により似合う適切な服装を決めることができる。従って、販売員が顧客に対して適切なアドバイスを提供することで、商品の販売につなげて売上増加を図ることができる。
【０００３】
ところで従来、特開平８−１６５４９において、適切なアドバイス情報を迅速に得ることができる表示装置が開示されている。特開平８−１６５４９の表示装置は、季節情報に関連するアドバイス情報や、季節情報と色情報との組み合わせに関連するアドバイス情報、あるいは季節情報と天候情報との組み合わせに対応するアドバイス情報を複数記憶しておき、指定された季節情報や各組み合わせに対応するアドバイス情報、例えば着て行く服の色や服の種類等のファッション情報を表示させることができる。
【０００４】
【発明が解決しようとする課題】
このように従来の特開平８−１６５４９に開示された表示装置では、アドバイス情報が得られるものの、情報を必要とする人が所定のキー入力をしなければならなかった。また、表示装置から得られる情報は、キー入力に応じたアドバイス情報でしかなかった。さらに、表示装置を販売店で利用したとしても、必ずしも商品の販売につなげて売上増加を図ることができない。
【０００５】
本発明は、前記のような問題に鑑みなされたもので、服装のコーディネートなど商品の組み合わせの適合に関する情報を的確に提供して、商品の販売の拡大を図ることが可能な電子機器、適合管理処理プログラムを提供することを目的とする。
【０００６】
【課題を解決するための手段】
本発明は、人体と接触している機器から商品を識別する識別情報を受信する受信手段と、個人情報を記憶する個人情報記憶手段と、前記受信手段によって受信した識別情報に対応する商品が、前記個人情報記憶手段によって記憶された個人情報に適合するか判別する判別手段と、前記判別手段による判別結果に応じた情報を出力する出力手段とを具備したことを特徴とする。
【０００７】
また本発明は、ユーザが装着している機器から商品を識別する識別情報を受信する受信手段と、前記受信手段によって受信された識別情報が示す商品のうちから、ユーザが着用している商品を検出する商品検出手段と、前記商品検出手段によって検出された商品と適合する商品を判別する商品判別手段と、前記商品判別手段によって判別された商品に関する情報を出力する商品情報出力手段とを具備したことを特徴とする。
【０００８】
【発明の実施の形態】
以下、図面を参照して本発明の実施の形態について説明する。
図１は、服装のコーディネートなど商品の組み合わせの適合を管理するための電子機器（携帯機器１０）の使用形態の一例を示している。携帯機器１０は、例えば時計型接触通信装置として構成されるもので、人体と直接接触することで、人体の電気伝導性を利用して人体に微弱電流を流し、人体と接触している他の機器、本実施形態では接触通信タグ１２，１４との間で電子データの送受信を行う接触通信機能が搭載されている。携帯機器１０は、例えば腕時計型に構成されており、手首などに装着することで人体と接触した状態で使用することができる。
【０００９】
図１に示す例では、組み合わせの適合を管理する商品として、店舗内で販売されている着用品、すなわち服を対象としている。服は、携帯機器１０による接触通信機能によって商品の所持を判別するために用いられる接触通信タグ１２が装着されて店舗内で展示されるものとする。また、服を掛けるためのハンガーにも接触通信タグ１４が装着されている。接触通信タグ１２，１４は、任意の商品に装着して使用することができ、携帯機器１０と接触通信により通信が可能な接触通信機能が設けられている。携帯機器１０と接触通信タグ１２，１４の詳細については後述する。
【００１０】
図２は、本実施形態における携帯機器１０の構成を示すブロック図である。図２に示すように、携帯機器１０は、接触通信により１２，１４と通信可能である他、例えばＢｌｕｅｔｏｏｔｈなどによる近距離無線通信によって電子機器１９と通信が可能である。電子機器１９は、携帯機器１０と近距離無線通信が可能な通信モジュールが搭載されたもので、例えば服を販売している店舗内の試着室に設置された試着室端末である。また、携帯機器１０は、インターネット、公衆回線網などの各種ネットワーク１６を通じて、各種サービスを提供するサーバ１８と通信することもできる。
【００１１】
図２中に示す携帯機器１０、接触通信タグ１２、電子機器１９は、各種の記録媒体に記録されたプログラムを読み込み、この読み込んだプログラムによって動作が制御されるコンピュータと同等の機能が搭載される。
【００１２】
図２に示すように、携帯機器１０は、ＣＰＵ２０がメモリ２２、記録媒体読取部２３、通信制御部２４、表示部２５、入力部２６、時計部２７、近距離通信部２８、及び接触通信部２９と相互に接続されている。
【００１３】
ＣＰＵ２０は、携帯機器１０全体の制御を司るもので、メモリ２２に記録されたプログラムを実行することにより各種の処理を実行する。ＣＰＵ２０は、メモリ２２に記録された適合管理処理プログラム２２ａを実行することにより、接触通信タグ１２，１４から接触通信により取得したデータをもとに商品の組み合わせの適合を管理する。
【００１４】
メモリ２２は、ＣＰＵ２０によってアクセスされるプログラムやデータが記録されるもので、本実施形態では例えば適合管理処理プログラム２２ａなどの各種プログラムや、各プログラムを実行する際に用いられる各種データの他、作業用のデータを一時的に記録するためのワークエリアなどが設定される。適合管理処理プログラム２２ａの実行に伴って格納される各種データとしては、管理対象とする商品に関する情報が登録されるＩＤ・商品情報テーブル２２ｂ、ＩＤ・商品情報テーブル２２ｂに登録される商品との適切な組み合わせとなる商品を示すデータが登録されるコーディネートデータ２２ｃ、携帯機器１０を装着しているユーザにより接触された接触通信タグ１２，１４のデータ（ＩＤ）、すなわち商品を示すデータが登録される商品一覧データ２２ｄの他、個人情報として、携帯機器１０を装着しているユーザに固有の個人ＩＤデータ２２ｅ、ユーザ個人に対する商品の適切なサイズを示すフィットサイズデータ２２ｆ、及びユーザの商品に対する好み（例えば、派手好き、地味好き）を示す（商品を特定する）好みデータ２２ｇなどがある。なお、ＩＤ・商品情報テーブル２２ｂ、コーディネートデータ２２ｃの詳細については後述する（図５）。
【００１５】
記録媒体読取部２３は、記録媒体２３ａを有しており、記録媒体２３ａに対するプログラム、データ等の記録や読み出しを実行する。記録媒体２３ａは磁気的、光学的記録媒体、もしくは半導体メモリで構成され、記録媒体読取部２３に固定的に設けたもの、もしくは着脱自在に装着するものである。また、記録媒体２３ａに記録されるプログラム、データ等は、通信回線等を介して接続された他の機器から受信して記録する構成にしても良く、さらに、通信回線等を介して接続された他の機器側に記録媒体を備えた記録装置を設け、この記録媒体に記録されているプログラムやデータを、通信回線を介して使用する構成にしても良い。記録媒体読取部２３は、記録媒体２３ａに対して各種アプリケーションによって使用される各種のデータ等も記録し、必要に応じて読み出してメモリ２２に記録させることができる。
【００１６】
通信制御部２４は、ＣＰＵ２０の制御のもとでネットワーク１１を介してサーバ１８や他の電子機器との通信を制御する。
表示部２５は、各種情報を表示するためのもので、メモリ２２に格納された各種プログラムの実行に伴う画面を表示する。
入力部２６は、ボタンやポインティングデバイスなどにより構成され、データや各種の指示を入力するために用いられる。
時計部２７は、年月日時刻のデータを生成してＣＰＵ２０に提供する。
【００１７】
近距離通信部２８は、例えばＢｌｕｅｔｏｏｔｈなどによる近距離無線通信を制御するもので、この近距離通信によって電子機器１９との間で通信を実行する。
【００１８】
接触通信部２９は、接触通信を制御するもので、図示せぬ接触電極を通じて人体に微弱電流を流すことによって接触通信タグ１２，１４との間で接触通信を実行し、この接触通信によって接触通信タグ１２，１４から商品（服）に関する情報を取得して、適合管理処理プログラム２２ａの処理に提供する。
【００１９】
図３は、本実施形態における電子機器１９の構成を示すブロック図である。図３に示すように、電子機器１９は、例えばＢｌｕｅｔｏｏｔｈなどによる近距離無線通信によって電子機器１９と通信が可能である。また、電子機器１９は、インターネット、公衆回線網などの各種ネットワーク１６を通じて、各種サービスを提供するサーバ１８と通信することもできる。
【００２０】
図３に示すように、電子機器１９は、ＣＰＵ３０がメモリ３２、記録媒体読取部３３、通信制御部３４、表示部３５、入力部３６、時計部３７、近距離通信部３８、及び撮影部３９と相互に接続されている。
【００２１】
ＣＰＵ３０は、電子機器１９全体の制御を司るもので、メモリ３２に記録されたプログラムを実行することにより各種の処理を実行する。ＣＰＵ３０は、メモリ３２に記録された適合管理処理プログラム３２ａを実行することにより、携帯機器１０から近距離無線通信により取得したデータをもとに商品の組み合わせの適合を管理する。
【００２２】
メモリ３２は、ＣＰＵ３０によってアクセスされるプログラムやデータが記録されるもので、本実施形態では例えば適合管理処理プログラム３２ａなどの各種プログラムや、各プログラムを実行する際に用いられる各種データの他、作業用のデータを一時的に記録するためのワークエリアなどが設定される。適合管理処理プログラム３２ａの実行に伴って格納される各種データとしては、管理対象とする商品に関する情報が登録されるＩＤ・商品情報テーブル３２ｂ、ＩＤ・商品情報テーブル３２ｂに登録される商品との適切な組み合わせとなる商品を示すデータが登録されるコーディネートデータ３２ｃ、各携帯機器１０から取得される商品を示すデータが個人ＩＤ別に登録される個人ＩＤ別商品一覧データ３２ｅ、各携帯機器１０から取得されるユーザ個人に対する商品の適切なサイズを示すデータが個人ＩＤ別に登録される個人ＩＤ別フィットサイズデータ３２ｆ、各携帯機器１０から取得されるユーザの商品に対する好みを示す（商品を特定する）データが個人ＩＤ別に登録される個人ＩＤ別好みデータ３２ｇ、好みデータ３２ｇによって示される好みのそれぞれに応じた商品の色（及び柄）の適切な組み合わせを示すデータが登録される色合わせテーブル３２ｈなどがある。なお、ＩＤ・商品情報テーブル３２ｂ、コーディネートデータ３２ｃ、色合わせテーブル３２ｈの詳細については後述する。
【００２３】
記録媒体読取部３３は、記録媒体３３ａを有しており、記録媒体３３ａに対するプログラム、データ等の記録や読み出しを実行する。記録媒体３３ａは磁気的、光学的記録媒体、もしくは半導体メモリで構成され、記録媒体読取部３３に固定的に設けたもの、もしくは着脱自在に装着するものである。また、記録媒体３３ａに記録されるプログラム、データ等は、通信回線等を介して接続された他の機器から受信して記録する構成にしても良く、さらに、通信回線等を介して接続された他の機器側に記録媒体を備えた記録装置を設け、この記録媒体に記録されているプログラムやデータを、通信回線を介して使用する構成にしても良い。記録媒体読取部３３は、記録媒体３３ａに対して各種アプリケーションによって使用される各種のデータ等も記録し、必要に応じて読み出してメモリ３２に記録させることができる。
【００２４】
通信制御部３４は、ＣＰＵ３０の制御のもとでネットワーク１１を介してサーバ１８や他の電子機器との通信を制御する。
表示部３５は、各種情報を表示するためのもので、メモリ３２に格納された各種プログラムの実行に伴う画面を表示する。例えば、表示部３５は、試着室内に設置されたディスプレイ１９ｂ（図１１参照）において、撮影部３９によって撮影された画像と商品の画像との合成画像を表示する。
【００２５】
入力部３６は、ボタンやポインティングデバイスなどにより構成され、データや各種の指示を入力するために用いられる。
時計部３７は、年月日時刻のデータを生成してＣＰＵ３０に提供する。
【００２６】
近距離通信部３８は、例えばＢｌｕｅｔｏｏｔｈなどによる近距離無線通信を制御するもので、この近距離無線通信によって電子機器１９との間で通信を実行する。
【００２７】
撮影部３９は、画像撮影を制御するもので、例えば試着室内に設置されたディジタルカメラ１９ａ（図１１参照）によって試着室内にいる顧客を撮影してディジタル画像データを取り込み、適合管理処理プログラム３２ａの処理に提供する。
【００２８】
図４は、本実施形態における接触通信タグ１２，１４の主要な構成を示すブロック図である。
図４に示すように、接触通信タグ１２，１４は、ＣＰＵ４０がメモリ４２、接触通信部４３と相互に接続されて構成されている。
【００２９】
ＣＰＵ４０は、接触通信タグ１２，１４全体の制御を司るもので、メモリ４２に記録されたプログラムを実行することにより各種の処理を実行する。ＣＰＵ４０は、メモリ４２に記録された接触通信制御プログラム４２ａを実行することにより、携帯機器１０との間の接触通信による商品管理のための処理を実現する。
【００３０】
メモリ４２は、ＣＰＵ４０によってアクセスされるプログラムやデータが記録されるもので、本実施形態では例えば接触通信制御プログラム４２ａや各接触通信タグ１２，１４に割り当てられた固有のＩＤデータ４２ｂなどが設定される。
【００３１】
接触通信部４３は、接触通信を制御するもので、図示せぬ接触電極にユーザの皮膚が接触された場合に、接触電極を通じて人体に微弱電流を流すことによって携帯機器１０などとの間で接触通信を実行する。なお、接触電極は、接触通信タグ１２，１４の外表面に露出して設けられており、ユーザが手などにより容易に触れることができる。
【００３２】
図５は、携帯機器１０において管理されるＩＤ・商品情報テーブル２２ｂとコーディネートデータ２２ｃのデータ構成の一例を示す図である。
【００３３】
ＩＤ・商品情報テーブル２２ｂとコーディネートデータ２２ｃは、例えば通信制御部２４を通じて、ネットワーク１６を介してサーバ１８から一括して受信されるものとする。サーバ１８は、例えば店舗の経営者が管理しており、店舗において利用される各種データが経営者により登録されて、例えば定期的に携帯機器１０に対して各データを送信するものとする。
【００３４】
図５に示すように、ＩＤ・商品情報テーブル２２ｂは、管理対象とする商品に関する情報が登録されるもので、商品に装着される接触通信タグ１２，１４を識別するためのＩＤと対応づけて、商品に関する商品名、規格、サイズ、色、柄の他、店舗内の商品を展示してある場所、この店舗における商品の在庫数を示す各情報が対応づけて登録される。図５において色のデータとして、暖色を示す「暖」と寒色を示す「寒」の２種類のみを示しているが、具体的な色を識別することができるデータが付加されているものとする。
【００３５】
コーディネートデータ２２ｃは、ＩＤ・商品情報テーブル２２ｂに登録された商品との適切な組み合わせとなる商品を示すデータが登録されるもので、図５に示す例では、各処理に装着された接触通信タグ１２，１４を示すＩＤが登録される。また、コーディネートデータ２２ｃは、優先度順に複数のグループが用意されており、各グループに商品を示すデータ（ＩＤ）が登録されている。図５に示す例では２つのグループ（第１グループ、第２グループ）が用意され、グループには３つの商品を示すＩＤが登録できることを示している。なお、グループ数と１つのグループに登録できるＩＤ（商品）数は、任意に設定することができる。
【００３６】
なお、電子機器１９において管理されるＩＤ・商品情報テーブル３２ｂ及びコーディネートデータ３２ｃは、携帯機器１０において管理される図５に示すＩＤ・商品情報テーブル２２ｂ及びコーディネートデータ２２ｃとそれぞれ同じデータであるものとする。
【００３７】
図６は、電子機器１９において管理される色合わせテーブル３２ｈのデータ構成の一例を示す図である。図６に示すように、色合わせテーブル３２ｈには、個人ＩＤ別好みデータ３２ｇによって示される好み（例えば、派手好き、地味好き）のそれぞれに応じた適合する商品の組み合わせを、商品の特徴的な要素、例えば服の色及び柄の組み合わせによって表すデータが登録される。図６に示す例では、ユーザが現在対象としている商品（対象商品）の色と柄の組み合わせのそれぞれに対して、適切な組み合わせとして提供する商品（コーディネート商品）の色と柄を示すデータとが対応づけて登録されている。例えば、派手好きのユーザに対しては、色が「暖」色系であり、柄が「無地」の服に対しては、「寒」色系で、柄が「無地以外」の服が適していることを示すデータが登録されている。
【００３８】
次に、本実施形態における携帯機器１０による商品の所持を管理するための動作について、図７乃至図９に示すフローチャートを参照しながら説明する。図７（ａ）は、接触通信タグ１２，１４の動作を説明するためのフローチャート、図７（ｂ）は携帯機器１０の動作を説明するためのフローチャート、図８（ａ）は電子機器１９（試着室端末）の動作を説明するためのフローチャート、図８（ｂ）はサーバ１８の動作を説明するためのフローチャートである。
【００３９】
ここでは、服を販売している店舗内で、ユーザが携帯機器１０を利用することによって、自分の好みに合った、組み合わせが適当な（コーディネートされた）服を取得する場合を例にして説明する。
【００４０】
サーバ１８は、ネットワーク１６を通じて、電子機器１９に対してＩＤ・商品情報テーブル、コーディネートデータ、色合わせテーブルの各データを送信する（図８（ｂ）、ステップＤ１）。例えば、サーバ１８は、定期的にデータの送信を実行する他、データが更新された時、あるいは電子機器１９からデータ送信要求があった場合にデータを送信するようにしても良い。
【００４１】
なお、サーバ１８から送信されるＩＤ・商品情報テーブルには、店舗内で販売される各服に関する情報と、服が店舗内で展示される所定の場所を示す情報と、各服に装着される接触通信タグ１２，１４を識別するためのＩＤとが対応づけて登録されている。
【００４２】
電子機器１９は、サーバ１８からのデータを受信して、ＩＤ・商品情報テーブル３２ｂ、コーディネートデータ３２ｃ、色合わせテーブル３２ｈとして記憶する（図８（ａ）、ステップＣ１）。また、電子機器１９は、サーバ１８から受信したＩＤ・商品情報テーブル３２ｂ、コーディネートデータ３２ｃを、それぞれ近距離通信部３８を通じて近距離無線通信によって送信する（ステップＣ２）。
【００４３】
携帯機器１０は、電子機器１９との近距離無線通信が可能な範囲内に存在する場合、例えば店舗内にいるユーザに装着されている場合、電子機器１９から送信されたＩＤ・商品情報テーブル３２ｂとコーディネートデータ３２ｃのデータを受信して、ＩＤ・商品情報テーブル２２ｂ、コーディネートデータ２２ｃとしてそれぞれ記憶する（図７（ｂ）、ステップＢ１）。従って、店舗内に設置された電子機器１９と携帯機器１０にそれぞれ記憶されるＩＤ・商品情報テーブル２２ｂ，３２ｂ、コーディネートデータ２２ｃ，３２ｂがそれぞれ同一の内容となる。
【００４４】
ところで、携帯機器１０は、店舗内のユーザに人体と接触電極が接触している状態で装着されて使用される。携帯機器１０を装着したユーザは、個人の服についての適切なサイズをフィットサイズデータ２２ｆとして予め登録しておく。また、ユーザは、取得しようとしている服に対する希望（商品に対する好み）を好みデータ２２ｇとして予め登録しておく。ユーザは、好みデータ２２ｇを任意に変更することで、購入しようとする服の色や柄などを変更することができる。なお、携帯機器１０には、予めユーザに固有の個人ＩＤデータ２２ｅが入力部２６を通じてユーザによって登録されているものとする。ただし、携帯機器１０が各ユーザ専用で使用される場合、予め登録されている携帯機器１０に固有のＩＤデータを個人ＩＤデータ２２ｅとすることもできる。
【００４５】
店舗内では販売している服を所定の場所において展示しており、また展示の形態や服の種類に応じて、服を掛けているハンガーあるいは服に、接触通信タグ１２または接触通信タグ１４が装着されている。接触通信タグ１２，１４は、ユーザが商品を手に取る際に、ユーザが特別意識することなく自然に触れられる場所に装着されることが望ましい。
【００４６】
携帯機器１０は、ユーザが展示されている服を手に取った際に、接触通信タグ１２，１４の接触電極に接触した場合に、人体を通じて接触通信タグ１２または接触通信タグ１４（以下、接触通信タグ１２，１４と表記する）との間で接触通信を実行する。接触通信タグ１２，１４は、携帯機器１０と接触通信が可能な状態となると、メモリに格納されているＩＤデータ４２、すなわちユーザが手に取った服を示す識別情報（商品ＩＤ）を送信する（図７（ａ）、ステップＡ１）。
【００４７】
携帯機器１０は、接触通信タグ１２，１４からＩＤデータを受信できた場合（図７（ｂ）、ステップＢ２）、接触通信タグ１２，１４から取得したＩＤデータ（商品ＩＤ）と予め登録されている個人ＩＤデータ２２ｅを、近距離通信部２８から電子機器１９に対して近距離無線通信によって送信する（ステップＢ３）。
【００４８】
電子機器１９は、携帯機器１０から商品ＩＤと個人ＩＤデータを受信すると、この商品ＩＤ（ＩＤデータ）をもとにＩＤ・商品情報テーブル３２ｂを検索し、該当するＩＤが登録されていた場合に、このＩＤに対応して登録されている商品に関する情報をテーブルから取得して、個人ＩＤ別商品一覧データ３２ｅに個人ＩＤデータと対応づけて登録する（ステップＣ３）。
【００４９】
一方、携帯機器１０は、接触通信タグ１２，１４から受信したＩＤデータをもとにＩＤ・商品情報テーブル２２ｂを検索し、該当するＩＤが登録されていた場合に、このＩＤに対応して登録されている商品に関する情報をテーブルから取得して、商品一覧データ２２ｄとして登録する。ここで取得される商品に関する情報には、図５のＩＤ・商品情報テーブル２２ｂに示すように、商品名、サイズを含んでいる（ステップＢ４）。
【００５０】
携帯機器１０は、商品一覧データ２２ｄに登録した商品に関する情報のうちサイズのデータが、フィットサイズデータ２２ｆに合っているかを比較する（ステップＢ５）。ここで、サイズが合っていない場合、携帯機器１０は、サイズが合っていない旨の報知を出力する（ステップＢ７）。例えば、予め決められた音や音声メッセージ（例えば「あなたのサイズに合っていません」）などを出力したり、表示部２５において所定のメッセージなどを表示したりする。
【００５１】
そして、携帯機器１０は、フィットサイズデータ２２ｆとサイズが合っている他の同等品（又は類似品）をＩＤ・商品情報テーブル２２ｂから検索し（ステップＢ８）、この検索された同等品に在庫があるかＩＤ・商品情報テーブル２２ｂに登録された在庫数のデータを参照して判別する（ステップＢ９）。ここで、在庫有りと判別された場合には、携帯機器１０は、サイズが合っている商品（同等品）に関する情報、すなわち商品名、規格、場所の情報をＩＤ・商品情報テーブル２２ｂから読み出して報知する（ステップＢ１０）。ただし、商品に関する情報としてＩＤ・商品情報テーブル２２ｂに登録された全ての情報を報知する必要はなく、特定の情報を利用してメッセージを作成して出力するようにしても良い。以下の説明で商品に関する情報を報知する場合も同じである。
【００５２】
なお、サイズが合っている同等品の検索は、例えばＩＤ・商品情報テーブル２２ｂに登録されたサイズのデータが同一の商品から、商品名、規格、色、柄のデータをもとにして判別する。例えば、商品名と色が同一の出力を同等品として検索することができる。
【００５３】
携帯機器１０は、サイズが合っていない旨の報知、あるいはサイズが合っている商品の情報を報知した後、ユーザが新たに別の商品を手に取った場合、前述と同様にして、サイズの確認のための処理を実行する（ステップＢ５〜Ｂ１０）。また、電子機器１９には、ユーザによって手に取られた商品が順次登録される（ステップＣ３）。
【００５４】
一方、携帯機器１０は、ユーザによって手に取られた商品のサイズが合っていると判別できた場合（ステップＢ５、Ｙｅｓ）、サイズが合っている旨の報知を出力する（ステップＢ６）。例えば、予め決められた音や音声メッセージ（例えば「あなたにぴったりのサイズです」）などを出力したり、表示部２５において所定のメッセージなどを表示したりする。
【００５５】
次に、携帯機器１０は、コーディネートデータ２２ｃを参照して、先にユーザによって手に取られた商品との組み合わせが適切な商品、すなわちコーディネートされた服に関する情報を提供するための処理を実行する。
【００５６】
すなわち、携帯機器１０は、ＩＤ・商品情報テーブル２２ｂに登録されている、ユーザによって手に取られた商品に関する情報と対応づけられた、コーディネートデータ２２ｃに登録されたデータを参照して情報を提供する。
【００５７】
コーディネートデータ２２ｃには、図５に示すように２つのグループが用意されている。携帯機器１０は、第１グループとして登録された商品を示すＩＤを読み出し（ステップＢ１１）、このＩＤをもとにＩＤ・商品情報テーブル２２ｂを参照して、このＩＤが示す商品の在庫があるか在庫数のデータをもとに判別する（ステップＢ１２）。ここで、在庫無しと判別された場合（ステップＢ１２、Ｎｏ）、携帯機器１０は、コーディネートデータ２２ｃに登録された第１グループ中の次のＩＤを読み出し、同様にして在庫の確認を行う（ステップＢ１１，Ｂ１２）。
【００５８】
一方、在庫有りと判別された場合、携帯機器１０は、コーディネートデータ２２ｃに登録されていたＩＤが示す商品の商品名、規格、場所の情報を、ＩＤ・商品情報テーブル２２ｂから読み出して報知する（ステップＢ１４）。
【００５９】
ここで、入力部２６を通じて他の商品に関する情報の報知が要求された場合、携帯機器１０は、前述と同様にして、コーディネートデータ２２ｃに登録された第１グループ中の次のＩＤを読み出して在庫の確認を行い、在庫があった場合に、該当する商品に関する情報をＩＤ・商品情報テーブル２２ｂから読み出して報知する（ステップＢ１１，Ｂ１２，Ｂ１４，Ｂ１５）。
【００６０】
例えば、図５に示すＩＤ・商品情報テーブル２２ｂに登録されたＩＤ「Ｈ＊＊００１２３」の商品（ジャケット、サイズＭ、暖色系の無地、場所Ｊ１０１）がユーザによって取得されている場合、この商品に対応してコーディネートデータ２２ｃの第１グループに登録されているＩＤ「Ｔ００２２６」の商品（スカート、サイズＭ、暖色系の無地）についての情報を提供できる。また、ユーザから次の商品についての情報の報知が要求された場合には、ＩＤ「Ｈ＊＊００１２３」の商品に対応してコーディネートデータ２２ｃの第１グループに登録されている次のＩＤ「Ｔ００２２５」の商品（スカート、サイズＭ、寒色系の無地、場所Ｓ２０１）についての情報を続けて提供できる。
【００６１】
同様にして、ＩＤ「Ｈ＊＊００５４２」の商品（ブルゾン、サイズＭ、暖色系のジグザグ柄、場所Ｊ１０２）がユーザによって取得されている場合、この商品に対応してコーディネートデータ２２ｃの第１グループに登録されているＩＤ「Ｔ００５２３」の商品（パンツ、サイズＭ、寒色系の毛皮風柄、場所Ｊ２０４）についての情報を提供できる。
【００６２】
このように、コーディネートデータ２２ｃには、ユーザが手に取った商品との適切な組み合わせとなる商品を示すＩＤが登録されているので、このＩＤをもとに商品についての情報を報知して、ユーザに商品を選択させることができる。
【００６３】
なお、ユーザは、コーディネートデータ２２ｃの第１グループに登録された商品（ＩＤ）の他に、さらに組み合わせが可能な別の商品についての情報の報知を要求することができる。
【００６４】
コーディネートデータ２２ｃには、第１グループに登録されたＩＤが示す商品とは異なる、組み合わせが可能な別の商品のＩＤが第２グループに登録されている。例えば、ＩＤ・商品情報テーブル２２ｂのＩＤ「Ｈ＊＊００５４２」が示す上半身に身につける上着であるブルゾンに対しては、第１グループにおいて下半身に身につけるＩＤ「Ｔ００５２３」が示すパンツが登録され、第２グループにおいて上半身の内側に身につけるＩＤ「Ｔ００５７２」が示すＴシャツが登録されている。携帯機器１０は、別の商品についての情報の報知がユーザから要求された場合には、第２グループに登録された商品についての情報を報知する。なお、商品についての情報を報知するための処理手順（ステップＢ１６〜Ｂ２０）は、前述した第１グループを対象とした場合（ステップＢ１１〜Ｂ１５）と同様にして実行されるものとして詳細な説明を省略する。
【００６５】
例えば、第２グループを対象とした場合、ＩＤ「Ｔ００５７２」の商品（Ｔシャツ、サイズＭ、暖色系の縞柄）がユーザによって取得されている場合、この商品に対応してコーディネートデータ２２ｃの第２グループに登録されているＩＤ「Ｔ００５２３」の商品（パンツ、サイズＭ、寒色系の毛皮風柄、場所Ｊ２０４）についての情報を提供できる。
【００６６】
なお、コーディネートデータ２２ｃに登録されたデータをもとに商品に関する情報を提供することで、新たにユーザによって商品が取得された場合（接触通信によりＩＤを受信した場合（ステップＢ２））には、前述と同様の処理が実行される。
【００６７】
図１０には、携帯機器１０により提供される商品に関する情報をもとに、他の商品をユーザが取得する状況を示している。
例えば、携帯機器１０を装着したユーザが店舗内のＪ１０１の場所にあったジャケットを手に取ったものとする。これにより、この商品（ハンガー）に装着されている接触通信タグ１４から接触通信によってＩＤ「Ｈ＊＊００１２３」が取得されたものとする。この商品のサイズがユーザのサイズと合っていた場合、サイズが合っていることを通知するメッセージと共に、コーディネートデータ２２ｃに登録されていた商品についての情報が音声によって報知されている。すなわち、「あなたにピッタリのサイズです。Ｓ−２０１の同色のスカートが似合います」の音声メッセージが出力されている。そこで、ユーザは、音声メッセージによって知り得た場所Ｓ−２０１に移動して、先に取得したジャケットに合うＳ−２０１の棚に展示してあるスカートを取得することができる。ユーザによってスカートが手に取られることで、このスカートに装着されている接触通信タグ１２からＩＤ「Ｔ００２２６」が取得されるため、先に取得されたジャケットのＩＤ「Ｈ＊＊００１２３」とスカートのＩＤ「Ｔ００２２６」が電子機器１９に送信されて登録される。
【００６８】
ところで、携帯機器１０は、入力部２６を通じて、ユーザの好みによるコーディネートの要求が入力された場合（ステップＢ２１、Ｙｅｓ）、個人ＩＤデータ２２ｅと共に、ユーザの好みを示す好みデータ２２ｇと現在取得している商品を示すＩＤを近距離無線通信によって電子機器１９に送信する（ステップＢ２２）。また、携帯機器１０は、電子機器１９に対して、ユーザの好みにあったコーディネート商品の送信依頼を送信する（ステップＢ２３）。
【００６９】
電子機器１９は、電子機器１９から個人ＩＤデータ、好みデータも商品のＩＤを近距離無線通信により受信し（図８（ａ）、ステップＣ４）、さらにコーディネート商品の送信依頼を受信すると（ステップＣ５）、商品のＩＤをもとにＩＤ・商品情報テーブル３２ｂを参照して商品名、色（暖／寒）、柄（無地／柄有り）を検知する（ステップＣ６）。
【００７０】
電子機器１９は、携帯機器１０から取得した好みデータが示すユーザの好み、ここでは派手好きか、あるいは地味好きかを判別する（ステップＣ７）。
【００７１】
ユーザの好みが派手好きである場合、電子機器１９は、図６に示す色合わせテーブル３２ｈの派手好きの項目に合致する商品を決定し、商品の商品名、規格、場所の各データ読み出す（ステップＣ８）。すなわち、携帯機器１０から取得した商品のＩＤが示す商品の色と柄の組み合わせに合致するものを対象商品から検索し、合致するものがあった場合に、その色と柄の組み合わせと対応するコーディネート商品の色と柄を取得する。例えば、派手好きの項目において、対象商品の色と柄の組み合わせが「暖／無地」であった場合、コーディネート商品の色と柄のについては「寒／無地以外」となる。この場合、電子機器１９は、コーディネート商品についての色と柄の組み合わせ「寒／無地以外」に合致する商品を、ＩＤ・商品情報テーブル３２ｂの色と柄のデータを参照して検索する。
【００７２】
一方、電子機器１９は、携帯機器１０から取得した好みデータが地味好きを示す場合、図６に示す色合わせテーブル３２ｈの地味好きの項目に合致する商品を前述した派手好きの場合と同様にして決定し、商品の商品名、規格、場所の各データを読み出す（ステップＣ９）。
【００７３】
電子機器１９は、ＩＤ・商品情報テーブル３２ｂから読み出された商品の商品名、規格、場所の各データを、携帯機器１０に対して送信する（ステップＣ１０）。
【００７４】
携帯機器１０は、電子機器１９からコーディネート商品とする商品の商品名、規格、場所の各データを受信すると（ステップＢ２４）、この各データを報知する（ステップＢ２５）。
【００７５】
ここで、ユーザからコーディネート商品についての情報の報知が続けて要求された場合（ステップＢ２６）、携帯機器１０は、電子機器１９に対して、前述と同様にして、コーディネート商品の送信依頼を送信する（ステップＢ２３）。以下、前述と同様にして、好みデータ２２ｇが示すユーザの好みに応じたコーディネート商品が電子機器１９において求められ、その商品についての情報を受信して報知することができる。
【００７６】
なお、前述した説明では、携帯機器１０からコーディネート商品の送信依頼を電子機器１９に対して送信し、その都度、好みデータに応じたコーディネート商品が電子機器１９において求められるとしているが、電子機器１９においてＩＤ・商品情報テーブル３２ｂから得られる好みデータに応じた全てのコーディネート商品を求め、これらの商品の情報を一括して携帯機器１０に送信するようにしても良い。この場合、携帯機器１０は、電子機器１９から取得した複数のコーディネート商品の情報を、ユーザからの要求に応じて順次報知するものとする。
【００７７】
また、前述した説明では、電子機器１９に色合わせテーブル３２ｈが登録され、携帯機器１０から電子機器１９にコーディネート商品を問い合わせるものとしているが、色合わせテーブル３２ｈと同じデータを電子機器１９から携帯機器１０に対してＩＤ・商品情報テーブル３２ｂ、コーディネートデータ３２ｃと共に送信して登録させることで、携帯機器１０において色合わせテーブルをもとにコーディネート商品を検索して報知するようにしても良い。
【００７８】
こうして、予めコーディネートデータ２２ｃに登録された商品だけでなく、ユーザの好みに応じた商品についての情報を報知して、ユーザがその商品を選択するように促すことができる。
【００７９】
次に、携帯機器１０から報知される情報などを参考にしてユーザが取得した商品（服）が試着される場合の処理について説明する。
携帯機器１０を装着したユーザが店舗内に設けられた試着室に入る際、携帯機器１０は、これを検知して、個人ＩＤデータ２２ｅを電子機器１９に対して、近距離無線通信によって送信する（ステップＢ２７）。
【００８０】
電子機器１９は、試着室に入ってきたユーザの個人ＩＤデータを受信すると（ステップＣ１２）、この個人ＩＤデータと対応づけられて個人ＩＤ別商品一覧データ３２ｅに登録されている商品のＩＤを読み出す（ステップＣ１３）。すなわちユーザが試着するために試着室に持ち込んだ商品を判別する（ステップＣ１３）。
【００８１】
なお、本実施形態における試着室内には、ディジタルカメラ１９ａとディスプレイ１９ｂが設置されている。電子機器１９は、試着室内に入ってきたユーザを撮影部３９の制御によりディジタルカメラ１９ａによって撮影し、この撮影画像を左右反転された上でディスプレイ１９ｂにおいて表示させる（ステップＣ１４）。すなわち、電子機器１９は、ユーザの姿が鏡で映される場合と同様の画像をディスプレイ１９ｂに表示させる。
【００８２】
電子機器１９は、ディジタルカメラ１９ａによって撮影した画像をもとに、現在、ユーザが上半身に身につけている上着の色を検出し（ステップＣ１５）、ステップＣ１３で読み出した商品ＩＤが示す商品のうち、検出された色に最も近い色の商品（商品のＩＤ）を特定する。すなわち、ＩＤ・商品情報テーブル３２ｂに登録された商品のうちステップＣ１３で読み出した商品ＩＤが示す商品の色のデータを参照して判別する。なお、色だけでなく、柄を判別して、色と柄の組み合わせによって商品を特定するようにしても良い。こうして、ユーザが現在試着している服（上着）を特定することができる。
【００８３】
ここで、電子機器１９は、コーディネートされた他の服を実際に試着することなく、試着された場合の姿を表す画像を表示するための擬似試着画像処理を実行する。図９には、擬似試着画像処理を説明するためのフローチャートを示している。
【００８４】
まず、電子機器１９は、コーディネートデータ３２ｃを参照して、先に特定したユーザが現在着用している上着（商品）との組み合わせが適切な商品、すなわちコーディネートされた服に関する情報を取得する。
【００８５】
コーディネートデータ３２ｃには、図５に示すように２つのグループが用意されている。電子機器１９は、第１グループとして登録された商品を示すＩＤを読み出し（ステップＥ１）、このＩＤをもとにＩＤ・商品情報テーブル３２ｂを参照して、このＩＤが示す商品の在庫があるか在庫数のデータをもとに判別する（ステップＥ２）。ここで、在庫無しと判別された場合（ステップＥ２、Ｎｏ）、電子機器１９は、コーディネートデータ３２ｃに登録された第１グループ中の次のＩＤを読み出し、同様にして在庫の確認を行う（ステップＥ１，Ｅ２）。
【００８６】
一方、在庫有りと判別された場合、電子機器１９は、コーディネートデータ３２ｃに登録されていたＩＤが示す商品の商品名、規格、場所の情報を、ＩＤ・商品情報テーブル３２ｂから読み出して報知すると共に、この商品の画像をディジタルカメラ１９ａによって撮影した画像に対して所定の画像処理を施した上で合成してディスプレイ１９ｂにおいて表示する（ステップＥ４）。なお、商品の画像は、ＩＤ・商品情報テーブル３２ｂに登録された各商品（商品のＩＤ）と対応づけて、別途、記憶されているものとする。また、商品の画像に対する所定の画像処理としては、例えば、ディジタルカメラ１９ａによって撮影されたユーザの画像から合成対象とする領域（例えばジャケットの内部に着用されるシャツの部分に該当する領域）を抽出し、この領域に合わせて商品の画像を加工する。
【００８７】
ここで、入力部３６を通じて他の商品に関する情報の報知が要求された場合、電子機器１９は、前述と同様にして、コーディネートデータ３２ｃに登録された第１グループ中の次のＩＤを読み出して在庫の確認を行い、在庫があった場合に、該当する商品に関する情報をＩＤ・商品情報テーブル３２ｂから読み出して報知すると共に、ディジタルカメラ１９ａによって撮影した画像に商品の画像を合成して表示する（ステップＥ１，Ｅ２，Ｅ４，Ｅ５）。
【００８８】
なお、ユーザは、コーディネートデータ３２ｃの第１グループに登録された商品（ＩＤ）の他に、さらに組み合わせが可能な別の商品についての情報の報知を要求することができる。
【００８９】
コーディネートデータ３２ｃには、第１グループに登録されたＩＤが示す商品とは異なる、組み合わせが可能な別の商品のＩＤが第２グループに登録されている。電子機器１９は、別の商品についての情報の報知がユーザから要求された場合には、第２グループに登録された商品についての情報を報知する。なお、商品についての情報を報知するための処理手順（ステップＥ６〜Ｂ１０）は、前述した第１グループを対象とした場合（ステップＥ１〜Ｅ５）と同様にして実行されるものとして詳細な説明を省略する。
【００９０】
例えば、図５に示すＩＤ・商品情報テーブル３２ｂに登録されたＩＤ「Ｈ＊＊００５４２」の商品（ブルゾン、サイズＭ、暖色系のジグザグ柄、場所Ｊ１０２）がユーザによって試着されている場合、この商品に対応してコーディネートデータ３２ｃの第２グループに登録されているＩＤ「Ｔ００５７２」の商品（Ｔシャツ、サイズＭ、暖色系の縞）についての情報が読み出されたものとする。
【００９１】
図１１には、試着室内のユーザの様子とディスプレイ１９ｂの表示例を示している。この場合、図１１中の左側に示すディスプレイ１９ｂにおける画像表示が、右側に示すように「Ｔシャツ」の画像が合成された画像表示に切り替えられる。従って、ユーザは、実際に着用することなく、着用したときの様子を確認することができる。また、電子機器１９は、ユーザが現在着用している服に適した商品（Ｔシャツなど）を合成して表示することで、商品を的確にアピールして販売につなげることができる。
【００９２】
なお、前述した説明では、ユーザが現在着用している上着を検知して、この上着に対して適合する商品をユーザに提示しているが、同様にして、ユーザが現在着用しているパンツ／スカート／ズボンなど、下半身に身につけている商品を検知して、擬似試着画像処理を実行することができる（ステップＣ１８〜Ｃ２０）。なお、ステップＣ１８〜Ｃ２０の処理は、前述したステップＣ１５〜Ｃ１６と同様にして実行されるものとして詳細な説明を省略する。
【００９３】
こうして、試着室内のユーザが上半身、下半身のそれぞれに、実際に着用している商品に対して、適した他の商品に関する情報を提供することができる。
【００９４】
なお、前述した説明では、店舗内において携帯機器１０が使用される場合について説明しているが、その他の場所、例えば自宅内で前述と同様にして、所有している服やアクセサリーなどの組み合わせの適合を管理することもできる。
【００９５】
また、組み合わせの適合を管理する際に参照されるデータは、前述した実施形態に限るものではなく、例えば天候（晴れ、曇り、雨、雪など）、気温、湿度、行き先（場所）、シチュエーション（会社、出張、デート、スポーツ（テニス、ジョギング）など）に関するデータなどを用意しておくこともできる。これら各データに対応して、組み合わせの適合を管理することができるようにする。
【００９６】
また、前述した説明では、好みデータによって示される派手好き、地味好きなどに応じた、服の色と柄のデータが登録された色合わせテーブルが用いられるものとしているが、色と柄の他に、服のデザイン、材質など他の要素についてのデータが登録されたテーブルが用意されていても良い。すなわち、複数の要素の組み合わせのそれぞれに対して、適合する組み合わせとなる複数の要素の組を示すデータを対応づけて登録しておく。
【００９７】
また、コーディネートデータ２２ｃ，３２ｃは、１つの商品に対して適切な組み合わせとなる商品を示すデータが登録されるものとしているが、複数の商品に対して、適切な組み合わせとなる商品（１つ、あるいは複数）を示すデータが登録されるものであっても良い。
【００９８】
また、前述した説明では、携帯機器１０にＩＤ・商品情報テーブル２２ｂ、コーディネートデータ２２ｃを記憶させ、携帯機器１０において、接触通信によって取得したＩＤが示す商品に適合する商品を検索して、その商品の情報を報知するものとしているが、携帯機器１０が接触通信によってＩＤを取得した場合に、ＩＤと共に情報提供要求を電子機器１９に送信することで、電子機器１９において前述した携帯機器１０と同様の処理を実行させるようにしても良い。電子機器１９は、ＩＤ・商品情報テーブル３２ｂ、コーディネートデータ３２ｃを参照して適合する商品を検索し、この商品の情報を携帯機器１０に返信して出力させる。
【００９９】
また、本発明は、前述した実施形態に限定されるものではなく、実施段階ではその要旨を逸脱しない範囲で種々に変形することが可能である。また、前述した実施形態で実行される機能は可能な限り適宜組み合わせて実施しても良い。前述した実施形態には種々の段階の発明が含まれており、開示される複数の構成要件における適宜の組み合わせにより種々の発明が抽出され得る。例えば、実施形態に示される全構成要件から幾つかの構成要件が削除されても、効果が得られるので有れば、この構成要件が削除された構成が発明として抽出され得る。
【０１００】
また、前述した各実施形態において記載した処理は、コンピュータに実行させることのできる適合管理処理プログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。コンピュータは、記録媒体に記録された適合管理処理プログラムを読み込み、または通信媒体を介して適合管理処理プログラムを受信し、このプログラムによって動作が制御されることにより、上述した処理を実行する。
【０１０１】
【発明の効果】
以上のように、本発明の請求項１によれば、人体と接触している機器から商品を識別する情報を受信し、受信した識別情報に対応する商品が個人情報に適合しているか否かを判別し、その判別結果に応じた情報を出力するので、機器と人体の接触のみで、極めて容易に対応する商品が個人情報に適合しているか否かを確認することができる。
【０１０２】
また本発明の請求項２によれば、人体と接触している機器が商品に装着されており、人体を通じた接触通信によって識別情報を受信するようにすれば、人体を通じて確実に識別情報を受信できるとともに、対応する商品が個人情報に適合しているかをさらに容易に確認できるようになる。
【０１０３】
また本発明の請求項３によれば、判別結果に応じて他の商品の情報を出力することができ、個人情報に対応して、商品を判別して適切な商品情報を得ることが可能となる。
【０１０４】
また本発明の請求項４によれば、識別情報に対応する商品と適合する他の商品を判別して、この商品に関する情報を出力するので、ある商品に装着されている機器と接触するだけで、その商品に適合する他の商品を知ることができ、組み合わせが必要な商品を探す場合の負担を大幅に軽減することができる。
【０１０５】
また本発明の請求項５によれば、受信した識別情報に対応する商品のサイズと、個人情報に含まれるサイズに関する情報とをもとに商品が適合するか判別されて、その結果に応じた情報が出力されるので、ある商品に装着されている機器と接触するだけで、その商品が自分のサイズに合っているか否かを簡単に知ることができる。
【０１０６】
また本発明の請求項６によれば、個人情報に含まれる商品を特定する情報、例えば商品に対する好みを表す情報に該当する商品のうちから、識別情報に対応する商品と適合する他の商品が判別されるので、ある商品に装着されている機器と接触するだけで、その商品に適合し、かつ好みにあった他の商品を知ることができ、組み合わせが必要な商品を探す場合の負担をさらに軽減することができる。
【０１０７】
また本発明の請求項７によれば、機器から取得した識別情報に対応する商品の要素を検知し、この検知した要素と組み合わされた要素を持つ商品のうち、商品と適合する他の商品が判別されるので、ある商品に装着されている機器と接触するだけで、その商品と組み合わせが適当な要素を持つ他の商品を知ることができ、商品を探す場合の負担をさらに軽減することができる。
【０１０８】
また本発明の請求項８によれば、ある商品と適合する他の商品を判別する際に参照される、商品の適合に関する情報をネットワークを通じて外部から取得するので、扱われる商品の変化や適合する商品の変更などがあっても柔軟に対応することが簡単にできる。
【０１０９】
また本発明の請求項９によれば、ユーザが着用している商品を検出し、この検出された商品と適合する商品を判別して、この商品に関する情報を出力するので、実際に着用している商品に適合する商品を容易に判別することができる。
【０１１０】
また本発明の請求項１０によれば、ユーザを撮影して得られる画像をもとに着用している商品を検出し、さらに撮影して得られる画像に着用している商品と適合する商品の画像を合成して出力するので、実際に商品を適合する他の商品を着用することなく、着用した時の様子を簡単に把握することができるので、商品を選択する際の手間を大幅に軽減することができる。
【図面の簡単な説明】
【図１】本実施形態における携帯機器１０の使用形態の一例を示す図。
【図２】本実施形態における携帯機器１０の構成を示すブロック図。
【図３】本実施形態における電子機器１９の構成を示すブロック図。
【図４】本実施形態における接触通信タグ１２，１４の主要な構成を示すブロック図。
【図５】携帯機器１０において管理されるＩＤ・商品情報テーブル２２ｂとコーディネートデータ２２ｃのデータ構成の一例を示す図。
【図６】電子機器１９において管理される色合わせテーブル３２ｈのデータ構成の一例を示す図。
【図７】接触通信タグ１２，１４と携帯機器１０の動作を説明するためのフローチャート。
【図８】電子機器１９（試着室端末）とサーバ１８の動作を説明するためのフローチャート。
【図９】擬似試着画像処理を説明するためのフローチャート。
【図１０】携帯機器１０により提供される商品に関する情報をもとに、他の商品をユーザが取得する状況を示す図。
【図１１】試着室内のユーザの様子とディスプレイ１９ｂの表示例を示す図。
【符号の説明】
１０…携帯機器
１２，１４…接触通信タグ
１６…ネットワーク
１８…サーバ
１９…電子機器
２０，３０，４０…ＣＰＵ
２２，３２，４２…メモリ
２２ａ，３２ａ…適合管理処理プログラム
２２ｂ，３２ｂ…ＩＤ・商品情報テーブル
２２ｃ，３２ｃ…コーディネートデータ
２２ｄ…商品一覧データ
２２ｅ…個人ＩＤデータ
２２ｆ…フィットサイズデータ
２２ｇ…好みデータ
３２ｈ…色合わせテーブル
３２ｅ…個人ＩＤ別商品一覧データ
３２ｆ…個人ＩＤ別フィットサイズデータ
３２ｇ…個人ＩＤ別好みデータ
２３，３３…記録媒体読取部
２３ａ，３３ａ…記録媒体
２４，３４…通信制御部
２５，３５…表示部
２６，３６…入力部
２７，３７…時計部
２８，３８…近距離通信部
２９，３３…接触通信部
３９…撮影部
４３…接触通信部
【図１】
2004003058.tif 000003
【図２】
2004003058.tif 000004
【図３】
2004003058.tif 000005
【図４】
2004003058.tif 000006
【図５】
2004003058.tif 000007
【図６】
2004003058.tif 000008
【図７】
2004003058.tif 000009
【図８】
2004003058.tif 000010
【図９】
2004003058.tif 000011
【図１０】
2004003058.tif 000012
【図１１】
2004003058.tif 000013